(57)【特許請求の範囲】
【請求項１】
洗面室の壁面に沿って洗面化粧台を配置すると共に洗面化粧台の鏡部の側方で壁面に沿って前面を開口せる収納キャビネットを配置し、収納キャビネットの左右の幅方向の中央に上下全長に亙って縦仕切り部を設け、収納キャビネットの前面開口に収納キャビネットの前面開口の左右方向の略半分を覆う戸兼用鏡体を配置し、収納キャビネットの前面の上部に上記戸兼用鏡体を左右方向に摺動自在に吊り下げ、上記戸兼用鏡体の左右方向の幅を収納キャビネットの前面開口の左右方向の幅の半分の幅よりやや大きくして戸兼用鏡体を左右方向の何れに移動しても戸兼用鏡体で覆われるように戸兼用鏡体がオーバーラップするオーバーラップ部である縦仕切り部に下ガイド部を設けると共に戸兼用鏡体の下部を下ガイド部に摺動自在に支持して成ることを特徴とする洗面室ユニット。
【請求項２】
洗面室の入り隅で略直交する一方の壁面に沿って洗面化粧台を配置すると共に他方の壁面に沿って収納キャビネットを上記洗面化粧台と略直交するように配置して成ることを特徴とする請求項１記載の洗面室ユニット。
【請求項３】
戸兼用鏡体の下端に対応する部分で上記オーバラップ部に下ガイドとしてガイドピンを設け、戸兼用鏡体の下端に設けた摺動溝を上記ガイドピンに摺動自在に嵌合して成ることを特徴とする請求項１または請求項２記載の洗面室ユニット。
【請求項４】
戸兼用鏡体の下部の裏面に対応する位置で上記オーバーラップ部に下ガイドとしてスライドレールを設け、戸兼用鏡体の裏面に設けたスライド部を上記スライドレールに左右方向に摺動自在に装着して成ることを特徴とする請求項１または請求項２記載の洗面室ユニット。
【請求項５】
洗面化粧台の側方に洗濯機を配置し、洗面化粧台の下部キャビネットの下で床部に排水部を設け、洗濯機の排水管を上記排水部に接続して成ることを特徴とする請求項１乃至請求項４のいずれかに記載の洗面室ユニット。
【請求項６】
下部キャビネットを載設した台輪に切欠を設け、この切欠に洗濯機の排水管を挿通して成ることを特徴とする請求項５記載の洗面室ユニット。
【請求項７】
下部キャビネットの底板を着脱自在にしたことを特徴とする請求項５または請求項６記載の洗面室ユニット。
【発明の詳細な説明】
【０００１】
【発明の属する技術分野】
本発明は浴室ユニットに隣接するように設置する洗面室ユニットに関するものである。
【０００２】
【従来の技術及び発明が解決しようとする課題】
従来、洗面室には壁面に沿って洗面化粧台が設置されるが、この洗面化粧台は一般的に下部キャビネット上にカウンターを設置し、このカウンターに洗面ボウルを設け、カウンターの上方にミラーキャビネットを設置し、ミラーキャビネットに鏡部を設けてあり、鏡部の両側でミラーキャビネットに収納部を設けて形成されている。そしてミラーキャビネットの両側の収納部に洗面化粧台で使用する小物等を収納できるようになっているが、ミラーキャビネットの両側の収納部だけでは十分に収納スペースを確保できないという問題がある。
【０００３】
本発明は上記の点に鑑みてなされたものであり、洗面化粧台の近傍に設けた収納キャビネットにて小物等を収納する収納スペースを十分に確保でき、しかも洗面化粧台の鏡部以外に収納キャビネットにも戸兼用鏡体にて鏡を設けて便利に使用でき、さらに収納キャビネットの前面開口の略半分を戸兼用鏡体にて覆って外観よくでき、さらに戸兼用鏡体の上下を支持して摺動自在にすることで戸兼用鏡体を安定よく開閉でき、さらにまた戸兼用鏡体の下部を摺動自在に支持する部分が外観上見えなくて外観を向上できる洗面室ユニットを提供することを課題とするものである。
【０００４】
【課題を解決するための手段】
上記課題を解決するための本発明の請求項１の洗面室ユニットは、洗面室１の壁面２に沿って洗面化粧台３を配置すると共に洗面化粧台３の鏡部４の側方で壁面２に沿って前面を開口せる収納キャビネット５を配置し、収納キャビネット５の左右の幅方向の中央に上下全長に亙って縦仕切り部３３を設け、収納キャビネット５の前面開口に収納キャビネット５の前面開口の左右方向の略半分を覆う戸兼用鏡体６を配置し、収納キャビネット５の前面の上部に上記戸兼用鏡体６を左右方向に摺動自在に吊り下げ、上記戸兼用鏡体６の左右方向の幅を収納キャビネット５の前面開口の左右方向の幅の半分の幅よりやや大きくして戸兼用鏡体６を左右方向の何れに移動しても戸兼用鏡体６で覆われるように戸兼用鏡体６がオーバーラップするオーバーラップ部７である縦仕切り部３３に下ガイド部８を設けると共に戸兼用鏡体６の下部を下ガイド部８に摺動自在に支持して成ることを特徴とする。洗面化粧台３の鏡部４の側方に収納キャビネット５を配置したことにより、この収納キャビネット５に洗面化粧台３で使用する小物等を収納できることになり、洗面化粧台３の近傍に大きな収納スペースを確保して便利に使用できる。収納キャビネット５の前面開口に戸兼用鏡体６を配置したことにより、洗面化粧台３の鏡部４以外に戸兼用鏡体６にて鏡を設けることができて便利に使用できる。また収納キャビネット５の前面開口の略半分を戸兼用鏡体５にて覆ったことで収納キャビネット５に外観よく収納することができる。さらに収納キャビネット５の前面の上部に上記戸兼用鏡体６を左右方向に摺動自在に吊り下げ、戸兼用鏡体６の下部を下ガイド部８に摺動自在に支持したことにより、戸兼用鏡体６を摺動させて開閉するものでも戸兼用鏡体６の上下を支持して開閉することができ、戸兼用鏡体６を安定よく摺動させてスムーズに開閉できる。さらに戸兼用鏡体６の左右方向の幅を収納キャビネット５の前面開口の左右方向の幅の半分の幅よりやや大きくして戸兼用鏡体６を左右方向の何れに移動しても戸兼用鏡体６で覆われるように戸兼用鏡体６がオーバーラップするオーバーラップ部７に下ガイド部８を設けると共に戸兼用鏡体６の下部を下ガイド部８に摺動自在に支持したことにより、戸兼用鏡体６の下部を摺動自在に支持するものでも下ガイド部８が外観上見えなくて外観よくできる。また収納キャビネット５内から水滴等を排水する場合にも下ガイド部８が排水の弊害とならなくて排水がスムーズにできる。
【０００５】
また本発明の請求項２の洗面室ユニットは、請求項１において、洗面室１の入り隅で略直交する一方の壁面２に沿って洗面化粧台３を配置すると共に他方の壁面２に沿って収納キャビネット５を上記洗面化粧台３と略直交するように配置して成ることを特徴とする。洗面化粧台３の前に使用者が立ったとき使用者の側方に収納キャビネット５が位置し、洗面化粧台３の鏡部４以外に収納キャビネット５の戸兼用鏡体６の鏡６ａにも姿を写すことができて便利に使用できる。また洗面化粧台３の前の使用者の側方に位置する収納キャビネット５に対して出し入れできるために便利に使用できる。また戸兼用鏡体６は引戸のように摺動して開閉するために回転式の扉のように開閉するとき洗面化粧台３の洗面カウンター２６の小物等に当たったりする弊害もない。
【０００６】
また本発明の請求項３の洗面室ユニットは、請求項１または請求項２において、戸兼用鏡体６の下端に対応する部分で上記オーバラップ部７に下ガイド８としてガイドピン８ａを設け、戸兼用鏡体６の下端に設けた摺動溝１０を上記ガイドピン８ａに摺動自在に嵌合して成ることを特徴とする。戸兼用鏡体６の下端を簡単に摺動自在に支持できる。
【０００７】
また本発明の請求項４の洗面室ユニットは、請求項１または請求項２において、戸兼用鏡体６の下部の裏面に対応する位置で上記オーバーラップ部７に下ガイド８としてスライドレール８ｂを設け、戸兼用鏡体６の裏面に設けたスライド部９を上記スライドレール８ｂに左右方向に摺動自在に装着して成ることを特徴とする。戸兼用鏡体６の下部の裏面を簡単に摺動自在に支持できる。
【０００８】
また本発明の請求項５の洗面室ユニットは、請求項１乃至請求項４のいずれかにおいて、洗面化粧台３の側方に洗濯機１１を配置し、洗面化粧台３の下部キャビネット１２の下で床部に排水部１３を設け、洗濯機１１の排水管１４を上記排水部１３に接続して成ることを特徴とする。洗濯機１１の排水を洗面化粧台３の下部キャビネット１２の下から排水でき、洗濯機１１からの排水を経路が外観上目立たないようにできると共に洗面化粧台３からの排水とまとめて合理的に排水できる。
【０００９】
また本発明の請求項６の洗面室ユニットは、請求項５において、下部キャビネット１２を載設した台輪１５に切欠１６を設け、この切欠１６に洗濯機１１の排水管１４を挿通して成ることを特徴とする。洗濯機１１の排水管１４を下部キャビネット１２の下に簡単に導くことができる。
【００１０】
また本発明の請求項７の洗面室ユニットは、請求項５または請求項６において、下部キャビネット１２の底板１７を着脱自在にしたことを特徴とする。底板１７を外して排水管路の点検が容易できてメンテナンスが容易にできる。
【００１１】
【発明の実施の形態】
図１、図２に示すように建物の躯体２０内には洗面室ユニットＵ１と浴室ユニットＵ２とを並べて配置してある。浴室ユニットＵ２内には浴槽や洗い場を設けてあり、洗面室ユニットＵ１は脱衣室を兼ねる洗面室１を内部に設けてあり、浴室ユニットＵ２と洗面室ユニットＵ１との間には浴室への出入り口用開口２１を設けてあり、この出入り口用開口２１に開閉自在なドア２２を装着してある。
【００１２】
洗面室ユニットＵ１は一体の防水床パンよりなる床面２３と床面２３の四周に立設した壁パネルよりなる壁面２と天井板よりなる天井面２４とで構成されている。上記壁面２は４つの壁面２ａ，２ｂ，２ｃ，２ｄにて形成されている。壁面２ａの壁面２ｂ側の入り隅部は壁面２ａに背面が沿うように洗面化粧台３を設置してある。洗面化粧台３の下部キャビネット１２は前面に開閉自在な一対の扉２５を装着してあり、床面２３の上に台輪１５を介して下部キャビネット１２を設置してある。下部キャビネット１２の上には洗面カウンター２６を載設してあり、洗面カウンター２６には洗面ボウル２７を設けてあり、洗面ボウル２７の上方にはカラン２８等を装着してある。洗面カウンター２６の上方には壁面２ａに沿って鏡部４を装着してある。かかる鏡部４は洗面カウンター２６と同じ幅で洗面カウンター２６から天井面２４に至るように設けてあり、鏡部４の裏面側には曇り止めヒータ５７を装着してある。洗面化粧台３の上方で天井面２４にはダウンライトのような照明器具２９を装着してある。洗面ボウル２７の排水をする排水管３０は下部キャビネット１２を介して底面２３の下方の床下に導出してあり、床下に配置した排水配管路３１に排水管３０を連通させてある。
【００１３】
洗面化粧台２の側方の位置では壁面２ｂに沿って収納キャビネット５を埋設してある。かかる収納キャビネット５は洗面カウンター２６の上面と略同じ高さ位置から天井面２４に至るように設けてある。収納キャビネット５は図８に示すように前面を開口せる箱状に形成されるが、左右の幅方向の中央には上下全長に亙って縦仕切り部３３を設けてあり、左右の側壁と縦仕切り部３３との間には水平方向に横仕切り部３４を設けてあり、縦仕切り部３３の左右に複数個の収納凹部３５を設けてある。複数の収納凹部３５には必要に応じて脱落防止用のバー材３６を架設して装着してある。この収納キャビネット５の前面開口には収納キャビネット５の前面開口の略半分の部分を覆う戸兼用鏡体６が配置され、戸兼用鏡体６が左右方向に摺動して開閉自在になるように装着される。戸兼用鏡体６は合板よりなる裏板６ｂの表面の前面に鏡６ａを接着により装着して形成されている。戸兼用鏡体６は収納キャビネット５の前面開口の左右方向の幅の略半分を覆うものであるが、左右方向の幅の半分の幅よりやや大きい幅になっており、戸兼用鏡体６を左に摺動させても右に摺動させても戸兼用鏡体６にて縦仕切り部３３が覆われるようになっている。つまり、縦仕切り部３３は常に戸兼用鏡体６と重なるオーバーラップ部７となっている。
【００１４】
収納キャビネット５の前面開口の上内面には図９に示すように左右方向に亙って上レール３７を装着してあり、戸兼用鏡体６の裏面にはランナー３８を装着してあり、上レール３７にランナー３８を走行自在に嵌合してあり、上吊り式で摺動自在にしてある。図９の例の場合、戸兼用鏡体６の下部の裏面を摺動自在に支持してある。上記オーバーラップ部７としての縦仕切り部３３の下部の前面には下ガイド８としてスライドレール８ｂを左右方向に装着してあり、戸兼用鏡体６の裏面にはスライド部９を装着してあり、スライドレール８ｂにスライド部９をスライド自在に嵌合してある。図１０は戸兼用鏡体６の下端を摺動自在に装着するものであり、オーバーラップ部７としての縦仕切り部３３と対応する位置で前面の下内面には下ガイド８としてのガイドピン８ａを上方に突出するように突設してあり、戸兼用鏡体６の下端には摺動溝１０を凹設してあり、摺動溝１０をガイドピン８ａにスライド自在に嵌合してある。
【００１５】
上記のように洗面化粧台３の鏡部４の側方に収納キャビネット５を配置したことにより、この収納キャビネット５に洗面化粧台３で使用する小物等を収納できることになり、洗面化粧台３の近傍に大きな収納スペースを確保して便利に使用できる。特に洗面化粧台３の前に使用者が立ったとき使用者の側方に収納キャビネット５が位置し、使用者の側方に位置する収納キャビネット５に対して出し入れできるために便利に使用できる。また洗面化粧台３の前に使用者が立ったとき使用者の側方の収納キャビネット５が位置し、洗面化粧台３の鏡部４以外に収納キャビネット５の戸兼用鏡体６の鏡６ａにも姿を写すことができて便利に使用できる。また収納キャビネット５の前面開口の略半分を戸兼用鏡体６にて覆ったことで収納キャビネト５に外観よく収納することができる。さらに収納キャビネット５の前面の上部に上記戸兼用鏡体６を左右方向に摺動自在に吊り下げ、戸兼用鏡体６の下部をガイドピン８ａやスライドレール８ｂ等の下ガイド部８に摺動自在に支持したので、戸兼用鏡体６を摺動させて開閉するものでも戸兼用鏡体６の上下を支持して開閉することができ、戸兼用鏡体６を安定よく摺動させてスムーズに開閉できる。さらにオーバーラップ部７に下ガイド部８を設けると共に戸兼用鏡体６の下部を下ガイド部８に摺動自在に支持したことにより、戸兼用鏡体６の下部を摺動自在に支持するものでも下ガイド部８が外観上見えなくて外観よくできる。また収納キャビネット５内から水滴等を排水する場合にも下ガイド部８が排水の弊害とならなくて排水がスムーズにできる。つまり、収納キャビネット５の前面開口に下内面に突条のようなレールを左右方向に亙って設けることで下を摺動自在に支持したりしたときは外観が悪くなると共に排水がレールに溜まって濡れると共に汚れが付着する。また戸兼用鏡体６は引戸のように摺動して開閉するために回転式の扉のように開閉するとき洗面化粧台３の洗面カウンター２６の小物等に当たったりする弊害もない。
【００１６】
また洗面化粧台３と壁面２ｄとの間には壁面２ａに沿って洗濯機１１を設置してある。洗面化粧台３の下部キャビネット１２の下で床部には排水トラップのような排水部１３を設けてあり、この排水部１３が床下の排水配管路３１に連通させてある。下部キャビネット１２を載設する台輪１５には図１１に示すように洗面機１１側で切欠１６を設けてある。洗濯機１１から導出した蛇腹管のような排水管１４は上記切欠１６から台輪１５内に導入してあり、台輪１５内で排水管１４を上記排水部１３に接続してある。このようにすると、洗濯機１１の排水を洗面化粧台３の下部キャビネット１２の下から排水でき、洗濯機１１からの排水の経路が外観上目立たないようにできると共に洗面化粧台３からの排水とまとめて合理的に排水できる。また台輪１５に切欠１６を設け、この切欠１６に洗濯機１１の排水管１４を挿通してあると、洗濯機１１の排水管１４を下部キャビネット１２の下に簡単に導くことができる。また下部キャビネット１２の底板１７は下部キャビネット１２に固定していなく、台輪１５や支持棧３９の上に置くだけでセットしてあり、底板１７が着脱自在になっている。底板１７の排水管３０に対応する位置には排水管３０を通すための凹欠部４０を設けてある。かかる底板１７は図１２に示すように中央で２分割してあって、一対の分割底板１７ａで形成してあってもよい。このように下部キャビネット１２の底板１７を着脱自在にしてあると、底板１７を外して排水管路の点検が容易できてメンテナンスが容易にできる。
【００１７】
また洗濯機１１の上方で壁面２ａには開閉自在な窓４３を設けてある。また洗面室ユニットＵ２の天井面２４にはダウンライトのような照明器具４１や換気扇４２を設けてある。壁面２ｄには出入り口用開口２１と壁面２ｃとの間の位置でハンガー縦棒４５を装着してある。壁面２ｃの壁面２ｂ側には洗面室１への出入り口用開口４６を設けてある。
【００１８】
壁面２ｃの壁面２ｄ側には収納ボックス５０を配置してあり、収納ボックス５０の背面の突出部５１を壁面２ｃに埋設するように取り付けてある。つまり、壁面２ｃには開口５２を設けてあり、この開口５２に突出部５１を挿通した状態で壁面２ｃに収納ボックス５０を取り付けてある。この収納ボックス５０は前面を開口しており、収納ボックス５０には複数個の引き出し５３を引き出し自在に装着してある。この収納ボックス５０の上面には脱衣カウンター５４を載設してあり、この脱衣カウンター５４に入浴するとき脱衣した衣類を載せることができるようになっている。脱衣カウンター５４の上方で壁面２ｃにはハンガー横棒５５を設けてある。
【００１９】
【発明の効果】
本発明の請求項１の発明は、洗面室の壁面に沿って洗面化粧台を配置すると共に洗面化粧台の鏡部の側方で壁面に沿って前面を開口せる収納キャビネットを配置しているので、収納キャビネットに洗面化粧台で使用する小物等を収納できることになり、洗面化粧台の近傍に大きな収納スペースを確保して便利に使用できるものであり、しかも収納キャビネットの前面開口に収納キャビネットの前面開口の左右方向の略半分を覆う戸兼用鏡体を配置し、戸兼用鏡体を左右に摺動自在にして開閉自在にしたので、洗面化粧台の鏡部以外に戸兼用鏡体にて鏡を設けることができて便利に使用できると共に収納キャビネット内に外観よく収納できるものであり、また収納キャビネットの前面の上部に上記戸兼用鏡体を左右方向に摺動自在に吊り下げ、戸兼用鏡体の下部を下ガイド部に摺動自在に支持したので、戸兼用鏡体を摺動させて開閉するものでも戸兼用鏡体の上下を支持して開閉することができ、戸兼用鏡体を安定よく摺動させてスムーズに開閉できるものであり、さらに上記戸兼用鏡体の左右方向の幅を収納キャビネットの前面開口の左右方向の幅の半分の幅よりやや大きくして戸兼用鏡体を左右方向の何れに移動しても戸兼用鏡体で覆われるように戸兼用鏡体がオーバーラップするオーバーラップ部である縦仕切り部に下ガイド部を設けると共に戸兼用鏡体の下部を下ガイド部に摺動自在に支持しているので、戸兼用鏡体の下部を摺動自在に支持するものでも下ガイド部が外観上見えなくて外観よくできるものであり、また収納キャビネット内から水滴等を排水する場合にも下ガイド部が排水の弊害とならなくて排水がスムーズにできるものである。
【００２０】
また本発明の請求項２の発明は、請求項１において、洗面室の入り隅で略直交する一方の壁面に沿って洗面化粧台を配置すると共に他方の壁面に沿って収納キャビネットを上記洗面化粧台と略直交するように配置しているので、洗面化粧台の前に使用者が立ったとき使用者の側方に収納キャビネットが位置し、洗面化粧台の鏡部以外に収納キャビネットの戸兼用鏡体の鏡にも姿を写すことができて便利に使用できるものであり、また洗面化粧台の前の使用者の側方に位置する収納キャビネットに対して出し入れするために便利に使用できるものであり、また戸兼用鏡体は引戸のように摺動して開閉するために回転式の扉のように開閉するとき洗面化粧台の洗面カウンターの小物等に当たったりする弊害もないものである。
【００２１】
また本発明の請求項３の発明は、請求項１または請求項２において、戸兼用鏡体の下端に対応する部分で上記オーバラップ部に下ガイドとしてガイドピンを設け、戸兼用鏡体の下端に設けた摺動溝を上記ガイドピンに摺動自在に嵌合しているので、戸兼用鏡体の下端を簡単に摺動自在に支持できるものである。
【００２２】
また本発明の請求項４の洗面室ユニットは、請求項１または請求項２において、戸兼用鏡体の下部の裏面に対応する位置で上記オーバーラップ部に下ガイドとしてスライドレールを設け、戸兼用鏡体の裏面に設けたスライド部を上記スライドレールに左右方向に摺動自在に装着しているので、戸兼用鏡体の下部の裏面を簡単に摺動自在に支持できるものである。
【００２３】
また本発明の請求項５の発明は、請求項１乃至請求項４のいずれかにおいて、洗面化粧台の側方に洗濯機を配置し、洗面化粧台の下部キャビネットの下で床部に排水部を設け、洗濯機の排水管を上記排水部に接続しているので、洗濯機の排水を洗面化粧台の下部キャビネットの下から排水でき、洗濯機からの排水を経路が外観上目立たないようにできると共に洗面化粧台からの排水とまとめて合理的に排水できるものである。
【００２４】
また本発明の請求項６の発明は、請求項５において、下部キャビネットを載設した台輪に切欠を設け、この切欠に洗濯機の排水管を挿通しているので、洗濯機の排水管を下部キャビネットの下に簡単に導くことができるものである。
【００２５】
また本発明の請求項７の発明は、請求項５または請求項６において、下部キャビネットの底板を着脱自在にしたので、底板を外して排水管路の点検が容易できてメンテナンスが容易にできるものである。
【図面の簡単な説明】
【図１】本発明の実施の形態の一例を示す平面から見た一部切欠断面図である。
【図２】同上の正面から見た一部切欠断面図である。
【図３】同上の洗面室ユニットの概略平面図である。
【図４】図３のＡ方向矢視図である。
【図５】図３のＢ方向矢視図である。
【図６】図３のＣ方向矢視図である。
【図７】図３のＤ方向矢視図である。
【図８】同上の収納キャビネットを示し、（ａ）は正面図、（ｂ）は側面から見た断面図、（ｃ）は底面から見た断面図である。
【図９】同上の戸兼用鏡体を摺動自在に支持する部分を示す側面から見た断面図である。
【図１０】同上の他の例の戸兼用鏡体を摺動自在に支持する部分を示す側面から見た断面図である。
【図１１】同上の洗面化粧台の部分を側面から見た断面図である。
【図１２】同上の洗面化粧台の下部キャビネットの底板を示す平面図である。
【図１３】同上の収納ボックスを示し、（ａ）は平面図、（ｂ）は正面図、（ｃ）は側面図である。
【符号の説明】
１  洗面室
２  壁面
３  洗面化粧台
４  鏡部
５  収納キャビネット
６  戸兼用鏡体
７  オーバーラップ部
８  下ガイド部
８ａ  ガイドピン
８ｂ  スライドレール
９  スライド部
１０  摺動溝
１１  洗濯機
１２  下部キャビネット
１３  排水部
１４  排水管
１５  台輪
１６  切欠
１７  底板
【図１】
0003613094.tif 000002
【図２】
0003613094.tif 000003
【図３】
0003613094.tif 000004
【図４】
0003613094.tif 000005
【図５】
0003613094.tif 000006
【図６】
0003613094.tif 000007
【図７】
0003613094.tif 000008
【図８】
0003613094.tif 000009
【図９】
0003613094.tif 000010
【図１０】
0003613094.tif 000011
【図１１】
0003613094.tif 000012
【図１２】
0003613094.tif 000013
【図１３】
0003613094.tif 000014